(57)【要約】  遮蔽シリンダ（４）を備えたフレキソ印刷ユニット（１）のドクターブレードチャンバ（６）を対象とするドクターブレードが、遮蔽シリンダ（４）に接触できる長手方向縁部を有する機能的長手方向側（３４）と、長手方向締結側（３３）と、２つの横側（３６、３７）とを含む矩形ブレードの形態を示す。ドクターブレードは、機能的長手方向側（３４）に向けて、かつ２つの横側（３６、３７）のうちの第１の横側に向けて配置された少なくとも１つの開口部を含む。【選択図】図４
2021531191.tif 000002
【特許請求の範囲】
【請求項１】
遮蔽シリンダ（４）を備えたフレキソ印刷ユニット（１）のドクターブレードチャンバ（６）用で、前記遮蔽シリンダ（４）に接触できる長手方向縁部を有する機能的長手方向側（３４）と、長手方向締結側（３３）と、２つの横側（３６、３７）とを備えている矩形ブレードの形態を示すドクターブレードであって、
前記ドクターブレードは、前記機能的長手方向側（３４）に向けて、かつ前記２つの横側（３６、３７）の第１の横側に向けて配置された少なくとも１つの開口部を備えている、
ことを特徴とするドクターブレード。
【請求項２】
前記機能的長手方向側（３４）に向けて、かつ前記２つの横側（３６、３７）のうちの第２の横側に向けて配置された少なくとも第２の開口部を備えている、
請求項１に記載のドクターブレード。
【請求項３】
前記開口部は、前記機能的長手方向側（３４）及び前記横側（３６、３７）によって形成される隅部の領域に設けられた切り欠き（３９、４２）である、
請求項１又は２に記載のドクターブレード。
【請求項４】
前記切り欠き（３９、４２）は、顕著な四角形切断部の形態で示される、
請求項３に記載のドクターブレード。
【請求項５】
前記切り欠き（３９、４２）は、顕著な三角形切断部の形態で示される、
請求項３又は４に記載のドクターブレード。
【請求項６】
前記２つの横側（３６）の一方に設けられた脆弱領域（５０）を有している、
請求項１から５のいずれか１項に記載のドクターブレード。
【請求項７】
前記脆弱領域（５０）は、前記２つの横側（３６）のうちの前記第１の横側と前記長手方向締結側（３３）とによって形成される前記隅部（５１）の前記領域に位置する、
請求項６に記載のドクターブレード。
【請求項８】
前記脆弱領域（５０）は、顕著な四角形又は三角形である、
請求項６又は７に記載のドクターブレード。
【請求項９】
前記脆弱領域（５０）は、前記切り欠き（３９）の領域に位置する前記ドクターブレード（４８、４９）のストリップ（５２）を延ばす、
請求項６から８のいずれか１項に記載のドクターブレード。
【請求項１０】
プラスチック、鋼、炭素材料で形成される、
請求項１から９のいずれか１項に記載のドクターブレード。
【請求項１１】
請求項１から１０のいずれか１項に記載の少なくとも１つのドクターブレード（１７）を有している、
ことを特徴とするドクターブレードチャンバ。
【請求項１２】
本体（１２）と、締結クランプ（１４）と、前記ドクターブレードチャンバ（１２）の前記本体の前記キャビティ（１９）内に配置されたシールガスケット（２８）とを含み、前記ドクターブレード（１７）は、前記切り欠き（３９）の１つの内横側（４３）が前記ドクターブレード（１４）の前記締結クランプの前記内縁部と同じ高さに存在し、前記切り欠き（３９）の横側（４４）が前記シールガスケット（２８）の前記外横側（３０）と同じ高さに存在するように前記シールガスケット（２８）上に配置される、
請求項１１に記載のドクターブレードチャンバ。
【請求項１３】
請求項１１又は１２に記載のドクターブレードチャンバ（６）を備える、
ことを特徴とするフレキソ印刷ユニット。
【発明の詳細な説明】
【技術分野】
【０００１】
本発明は、フレキソ印刷ユニットのドクターブレードチャンバに取り付けられるように設計されたドクターブレードに関する。本発明は、少なくとも２つのドクターブレードを含むドクターブレードチャンバにも関する。本発明は、少なくとも２つのドクターブレードを含むドクターブレードチャンバを備えた、印刷機内の印刷ユニットに関する。
【背景技術】
【０００２】
包装業界では、可撓性材料、ラベル、紙シート、ポリエチレンフィルム、平坦な厚紙及び段ボール紙などの連続帯及び平板要素の印刷にフレキソ印刷機が使用される。この機械は、それぞれが１つの色を印刷する、順に配置された１又は２以上の印刷ユニットを含む。
【０００３】
印刷ユニットは、とりわけ周囲に印刷フォームが巻かれて引き伸ばされる版胴（ｐｌａｔｅ  ｃｙｌｉｎｄｅｒ）、すなわちレリーフパターンを示す可撓性印刷版を有している。版胴は、その各回転中に同じ色でパターンを印刷する。印刷版は、アニロックスと呼ばれる、セルを有する遮蔽シリンダ（ｓｃｒｅｅｎｅｄ  ｃｙｌｉｎｄｅｒ）と、インク供給装置（ｉｎｋｉｎｇ  ｄｅｖｉｃｅ）とを通じてインクに包まれた後にシートを印刷する。インク供給装置は、遮蔽シリンダのセルに正確な量のインクを満たすように構成されたドクターブレードチャンバと、インクタンクと、インクタンクからドクターブレードチャンバへのインクの送出を確実にする少なくとも１つのポンプとを含む。
【０００４】
遮蔽シリンダは、必要かつ十分な量のインクのみが遮蔽シリンダのインクセルを満たして印刷版に転送されるように、ドクターブレードチャンバのドクターブレードによって定期的に正確にこすり落とさなければならない。これを行うために、ドクターブレードチャンバは、遮蔽シリンダの付近に配向された前面を有する本体の形態で示される。本体は、インクを受け取るように設計されたキャビティを示す。キャビティは、遮蔽シリンダの表面に接触する２つの可撓性ドクターブレードによって閉じられ、各ドクターブレードは、締結クランプ及び締結スタッドを通じて、或いはチャンバが空気圧式ドクターブレードを含むチャンバである場合にはエアポケットを通じて本体上に維持される。
【０００５】
これらのドクターブレードは、遮蔽シリンダに対して長手方向及び接線方向に配置される。遮蔽シリンダが回転すると、負のドクターブレード（ｎｅｇａｔｉｖｅ  ｄｏｃｔｏｒ  ｂｌａｄｅ）とも呼ばれる作業ドクターブレードが逆回転位置（ｃｏｕｎｔｅｒ−ｒｏｔａｔｉｏｎ  ｐｏｓｉｔｉｏｎ）を有する。負のドクターブレードは、正確で再現可能な量を保証するためにドクターブレードチャンバの本体のキャビティからセルの内部に向けてインクを分配しながら、遮蔽シリンダの表面から過度のインクを除去する。負のドクターブレードは、機械の動作速度にかかわらず遮蔽シリンダに向けて一定かつ十分な量のインクの分配を保証する。
【０００６】
正のドクターブレード（ｐｏｓｉｔｉｖｅ  ｄｏｃｔｏｒ  ｂｌａｄｅ）とも呼ばれる密封ドクターブレードは、チャンバを密封する。このドクターブレードの役割は、チャンバの密封を維持することである。インク供給が過剰な場合には、ドクターブレード上に液体が蓄積することがある。この蓄積した液体は、インク供給回路に導いて回収しなければならない。
【発明の概要】
【発明が解決しようとする課題】
【０００７】
しかしながら、遮蔽シリンダの回転によって、印刷板上に転送されなかった余剰インクが正のドクターブレードに接してドクターブレードチャンバの外側に蓄積する。その後、このインクは、ドクターブレードチャンバの端部に向かって流れる。このインクは行き場を失くし、ドクターブレードチャンバの末端部（ｅｎｄ  ｐａｒｔｓ）を詰まらせる恐れがある。これにより、多くの場合、ドクターブレードチャンバの全ての末端部を洗浄しなければならなくなる。この場合、オペレータは、印刷ユニットのドクターブレードチャンバの取り外しに取り掛からければならない。
【０００８】
本発明の主な目的は、洗浄を容易にして印刷機の停止時間を減少させるとともに、このようなドクターブレードチャンバを備えた印刷機におけるインクの消費量を抑えることができるドクターブレードチャンバを開発することにある。
【課題を解決するための手段】
【０００９】
本発明は、フレキソ印刷における印刷ユニットのドクターブレードチャンバを対象としたドクターブレードを提供する。このフレキソ印刷における印刷ユニットは、遮蔽シリンダを備える。ドクターブレードは、一方の長手方向縁部が遮蔽シリンダに接触できる機能的長手方向縁部と、１つの長手方向締結側（ｌｏｎｇｉｔｕｄｉｎａｌ  ｆａｓｔｅｎｉｎｇ  ｓｉｄｅ）と、２つの横側とを含む矩形ブレードの形態で示される。
【００１０】
ドクターブレードは、機能的長手方向側（ｆｕｎｃｔｉｏｎｉｎｇ  ｌｏｎｇｉｔｕｄｉｎａｌ  ｓｉｄｅ）に向けて、かつ２つの横側のうちの第１の横側に向けて配置された少なくとも１つの開口部を含むことを特徴とする。
【００１１】
換言すれば、ドクターブレードに設けられた１又は２以上の開口部は、ドクターブレードの端部領域に蓄積したインクをドクターブレードチャンバの外側及び遮蔽シリンダの外側に逃がすことができる。ドクターブレードの領域に蓄積したインクは、この１又は２以上の開口部を通じて、もはや分散せずにインク供給回路内に回収される。この結果、ドクターブレードチャンバ内に連続して到来するインクの損失が抑えられる。ドクターブレード及びドクターブレードチャンバの洗浄動作の負担が軽減されて迅速になる。
【００１２】
１又は２以上の開口部を備えたドクターブレードは、ドクターブレードチャンバの本体のキャビティに挿入された密封ガスケット上に配置されることによって、ドクターブレードチャンバの密封機能を確実にする。１又は２以上の開口部を備えたドクターブレードは、締結クランプにブロックされることによってドクターブレードチャンバの密封機能を確実にする。
【００１３】
ドクターブレードは、直接販売可能（ｄｉｒｅｃｔｌｙ  ｓｅｌｌａｂｌｅ）な、ドクターブレードチャンバ内に取り付ける準備が直ぐに整うドクターブレードとして、或いはオペレータが本発明による１又は２以上の適切な開口部を設けてドクターブレードがドクターブレードチャンバ内に取り付けられて機能できる準備が整うように修正しなければならない矩形ブレードの形態のドクターブレードプリフォームとして定義される。
【００１４】
本発明の１つ実施形態によれば、ドクターブレードは、機能的長手方向側に向けて、かつ２つの横側のうちの第２の横側に向けて配置された少なくとも１つの第２の開口部を含む。未使用のインクは、ドクターブレードの２つの横側から、従って遮蔽シリンダの２つの横側から流れることができるようになる。
【００１５】
本発明の１つの実施形態によれば、開口部は、機能的長手方向側と横側とによって形成される隅部の領域に設けられた切り欠きである。ドクターブレードは、この隅部のキャビティ部分を用いてさらに容易に実現される。
【００１６】
本発明の１つの実施形態によれば、切り欠きは、顕著な四角形切断部の形態で示される。従って、１又は２以上の開口部は、最大寸法及び最適形状を有する。
【００１７】
本発明の１つの実施形態によれば、切り欠きは、顕著な三角形切断部の形態で示される。オペレータは、ドクターブレードプリフォームを使用する場合、この三角形を取得するように、機能的長手方向側及び横側によって形成された隅部を直接斜めに切断する。この結果、ドクターブレードのメーカーが形成するか、それともオペレータがプリフォームから形成するかにかかわらず、形成すべき切断部が直接かつ単純に達成される。
【００１８】
本発明の１つの実施形態によれば、ドクターブレードは、２つの横側の一方に脆弱領域（ｂｒｅａｋａｂｌｅ  ａｒｅａ）を含む。ドクターブレードプリフォームの場合には、後でこのドクターブレードの脆弱領域を切断して廃棄しなければならない。このドクターブレードの脆弱領域は、ドクターブレードチャンバ上の予想位置にオペレータがドクターブレードを取り付け、脆弱領域の領域（ａｒｅａ  ｏｆ  ｔｈｅ  ｂｒｅａｋａｂｌｅ  ａｒｅａ）に配置されたドクターブレードをペンチなどの工具を使用して引き伸ばすことを可能にする。その後、オペレータは、廃棄する必要がある脆弱領域を切断して最終的なドクターブレードを取得する。
【００１９】
本発明の１つの実施形態によれば、脆弱領域は、２つの横側のうちの第１の横側と長手方向締結側とによって形成される隅部の領域に配置される。この隅部は、１又は２以上の開口部に関連する隅部の反対側に設定される。
【００２０】
本発明の１つの実施形態によれば、脆弱領域は顕著な四角形である。本発明の１つの実施形態によれば、脆弱領域は顕著な三角形である。オペレータは、これらの２つの顕著な四角形又は三角形の一方を使用して、ドクターブレードをドクターブレードチャンバ本体に取り付けた時点で容易に脆弱領域を切断する。
【００２１】
本発明の１つの実施形態によれば、脆弱領域は、切り欠きの領域に位置するドクターブレードのストリップを延ばす。ドクターブレードの切り欠きは、この顕著な四角形又は三角形の脆弱領域のために計画された寸法によって、脆弱領域が除去されるとすぐにその独自の寸法を保つ。
【００２２】
本発明の１つの実施形態によれば、ドクターブレードは、プラスチック、鋼、炭素、又はその他の材料で形成される。ステンレス鋼を使用することもできる。ドクターブレードの材料は、セラミック又は炭素で被覆することもできる。
【００２３】
本発明は、ドクターブレードチャンバも提供する。このドクターブレードチャンバは、本発明による少なくとも１つのドクターブレードを含むことを特徴とする。
【００２４】
本発明の１つの実施形態によれば、ドクターブレードチャンバは、ドクターブレードのための１つの締結クランプと、ドクターブレードチャンバの本体のキャビティ内に配置されたガスケットシールとを含む。ドクターブレードは、切り欠きの内横側が締結クランプの内縁部（ｉｎｔｅｒｉｏｒ  ｅｄｇｅ）と同じ高さに存在し、切り欠きの一方の横側がガスケットシールの外横側と同じ高さに存在するように有利にガスケットシール上に配置される。
【００２５】
本発明は、遮蔽シリンダを備えたタイプの、フレキソ印刷における印刷ユニットも提供する。フレキソ印刷における印刷ユニットは、本発明による少なくとも１つのドクターブレードを備えた本発明によるドクターブレードチャンバを含むことを特徴とする。
【００２６】
添付の概略的図面を参照して行う以下の非限定的な実施形態についての説明から、本発明が明確に理解されるとともに、その様々な利点及び異なる特徴が最も良く強調されるであろう。
【図面の簡単な説明】
【００２７】
【図１】ドクターブレードを備えたドクターブレードチャンバを含むフレキソ印刷ユニットを示す図である。
【図２】ドクターブレードチャンバの斜視図である。
【図３】ドクターブレードチャンバの一端の部分的平面図である。
【図４】本発明の第１の実施形態によるドクターブレードの部分的平面図である。
【図５】本発明の第２の実施形態によるドクターブレードの部分的平面図である。
【図６】本発明の第３の実施形態によるドクターブレードの部分的平面図である。
【図７】本発明によるドクターブレードの取得を可能にするドクターブレードプリフォーム（ｄｏｃｔｏｒ  ｂｌａｄｅ  ｐｒｅｆｏｒｍ）の代替例の部分的平面図である。
【図８】本発明によるドクターブレードの取得を可能にするドクターブレードプリフォームの別の代替例の部分的平面図である。
【図９】本発明によるドクターブレードの取得を可能にするドクターブレードプリフォームのさらに別の代替例の部分的平面図である。
【図１０】ドクターブレードプリフォームのうちの１つが取り付け工程であるドクターブレードチャンバの平面図である。
【発明を実施するための形態】
【００２８】
フレキソ印刷機などの印刷機は、とりわけ黒色、青色、赤色、緑色及び黄色などの１又は２以上の異なる色を印刷する連続して一列に配置された１又は２以上の印刷ユニットを備えている。
【００２９】
図１に示すように、印刷ユニット１は、印刷フォーム又は印刷版３を支持するように構成された版胴２を備えている。印刷版３は、版胴２の周囲に巻かれて堅く締結される。印刷ユニット１は、表面上に一連のセルを示す遮蔽シリンダ又はアニロックスシリンダ４を備え、これらのセルは、セルの容量によって制御される量のインクを収集するように設計されている。遮蔽シリンダ４は、回転（矢印Ｒａ）時に印刷版３上にインクを転送する。
【００３０】
印刷ユニット１は、遮蔽シリンダ４の回転（矢印Ｒａ）時にそのセルを満たすように構成されたドクターブレードチャンバ６を備えている。印刷ユニット１は、インクタンク８からドクターブレードチャンバ６に向けたインクの送出を確実にする少なくとも１つのポンプ７及び適切な回路を備えている。印刷ユニット１は、印刷中に媒体１１の保持及び輸送（矢印Ｔ）を行う回転式逆圧シリンダ（ｒｏｔａｔｉｎｇ  ｃｏｕｎｔｅｒｐｒｅｓｓｕｒｅ  ｃｙｌｉｎｄｅｒ）９（矢印Ｒｉ）を備えている。版胴２は、回転（矢印Ｒｐ）時に媒体１１上に印刷版３のパターンを印刷する。
【００３１】
ドクターブレードチャンバ６は、本体１２を備えている（図２を参照）。ドクターブレードチャンバ６は、負のドクターブレード１３である第１のドクターブレードも備えている（図１及び図２を参照）。負のドクターブレード１３は、本体１２の第１の平坦部分に押し付けられることによって取り付けられる。負のドクターブレード１３は、締結クランプ１４の下方に保持されて締結クランプ１４を通じてブロックされることによって第１の平坦部分に堅く締結される。その後、締結クランプと、従って負のドクターブレード１３とは、複数単位のスタッド又は取り付けねじタイプ１６（ｓｅｖｅｒａｌ  ｕｎｉｔｓ  ｏｆ  ｔｈｅ  ｓｔｕｄｓ  ｏｒ  ａｔｔａｃｈｍｅｎｔ  ｓｃｒｅｗｓ  ｔｙｐｅ  １６）によってブロックされる。
【００３２】
また、ドクターブレードチャンバ６は、正のドクターブレード１７である第２のドクターブレードも備えている（図１及び図２を参照）。正のドクターブレード１７は、負のドクターブレード１３に面した本体１２の第２の平坦部分に押し付けられることによって取り付けられる。正のドクターブレード１７は、締結クランプ１４の下方に保持されて締結クランプ１４を通じてブロックされることによって第２の平坦部分に堅く締結される。締結クランプ１４と、従って正のドクターブレード１７とは、締結クランプ１４と同様に複数単位のスタッド又は取り付けねじタイプ１６によってブロックされる。なお、空気圧式ドクターブレードチャンバ（図示せず）の場合には、締結クランプを本体１２に近付け又は遠ざけて、２つのそれぞれのエアポケットを通じて負のドクターブレード１３及び正のドクターブレード１７の捕捉又は逆の解除を行うことができる。
【００３３】
締結クランプ１４は、負のドクターブレード１３及び正のドクターブレード１７と同じ長さ又はさらに短い長さとすることができる。締結クランプ１４が負のドクターブレード１３及び／又は正のドクターブレード１７よりも短い長さである場合には、負のドクターブレード１３及び／又は正のドクターブレード１７の長さをカバーするように終端間に複数の締結クランプ要素が取り付けられる。
【００３４】
負のドクターブレード１３及び正のドクターブレード１７は互いに向かい合い、インクを受け取るように設計されて本体１２に形成されたキャビティ１９を部分的に閉じる。負のドクターブレード１３の締結クランプ１４及び正のドクターブレード１７の締結クランプ１４は、それぞれキャビティ１９の内部に向けて配向された内縁部を備えている。
【００３５】
ドクターブレードチャンバ６は、第１の末端部２１及び第２の末端部２２を備えている。各末端部２１及び２２は、ドクターブレードチャンバ６の本体１２のそれぞれの端部に挿入されることによって配置される。負のドクターブレード１３及び正のドクターブレード１７の２つの外縁部（ｌａｔｅｒａｌ  ｅｄｇｅｓ）の各々は、キャビティ１９に向けて配向された内面２３、末端部２１及び２２に接触する。
【００３６】
第１の末端部２１は、１又は２以上のポンプ７及びインクリザーバ８から流入するドクターブレードチャンバ６からのインクの供給を確実にする、本体１２内に開口するチャネル２４を備えている。第１の末端部２１は、水タンク又は水源から流入するドクターブレードチャンバ６の洗浄水供給を確実にする、一連の洗浄ノズル２７を介して本体１２の中に開口する水路２６も備えている。
【００３７】
図３に示すように、ドクターブレードチャンバ６の本体１２のキャビティ１９は、その２つの端部がいずれもガスケットシール２８によって閉じられる。ガスケットシール２８は、発泡体又はエラストマーから形成され、キャビティ１９の内面に接して取り付けられる。
【００３８】
シールガスケット２８は、円２９の円弧に明らかな凹面を示す。ドクターブレードチャンバ６を遮蔽シリンダ４に接して配置すると、シールガスケットの凹面２９が遮蔽シリンダ４の２つの周辺端部（ｐｅｒｉｐｈｅｒａｌ  ｅｎｄｓ）の一方と直接接触するようになる。シールガスケット２８は、キャビティ１９に向けて配向されインクに接触する内横側（ｉｎｔｅｒｉｏｒ  ｌａｔｅｒａｌ  ｆａｃｅ）、及び外横側（ｅｘｔｅｒｉｏｒ  ｌａｔｅｒａｌ  ｆａｃｅ）３０も示す。シールガスケット２８は、一定量を放出するように末端部２１及び２２から離れてセットされる。シールガスケット２８の外横側３０は、キャビティ１９に向けて配向された内面２３、末端部２１及び２２に接触しない。
【００３９】
インクに接触する負のドクターブレード１３及び正のドクターブレード１７の内面の２つの側端部領域（ｌａｔｅｒａｌ  ｅｎｄ  ａｒｅａｓ）は、シールガスケット２８上に設けられた２つのそれぞれの支持面３１上に横たわる。シールガスケット２８は長手方向ピン３２に挿入され、これらのピンは、シールガスケット２８が適所に保持されることを確実にする。
【００４０】
ほとんどの場合、負のドクターブレード１３は金属で形成される。正のドクターブレード１７はポリマー材料で形成される。ポリマー材料は、高密度ポリエチレン（ＵＨＭＷＰＥ）として知られている超高分子量ポリエチレンを含む群内で選択されることが好ましい。
【００４１】
ドクターブレードは、正のドクターブレード１７又は負のドクターブレード１３にかかわらず、薄く細長い矩形のブレードである。正のドクターブレード１７のブレードは、第１の長手方向締結側３３を有する。長手方向締結側３３は、正のドクターブレード１７がドクターブレードチャンバ６の本体１２上に取り付けられた場合、締結クランプ１４の下方に配置される。正のドクターブレード１７の長手方向締結側３３の縁部は、本体１２上に設けられた取り付けスタッド１６又はフランジに接して、本体１２、ドクターブレードチャンバ６、及び遮蔽シリンダ４の発生器（ｇｅｎｅｒａｔｏｒ）に対する正のドクターブレード１７の平行性を保証するように設定される。
【００４２】
同ブレードは、第１の長手方向締結側３３に対向して平行である第２の自由な機能的長手方向側３４を有する。自由な機能的長手方向側３４の機能的長手方向縁部は、付勢手段を通じて支持されることによって遮蔽シリンダ４に接触することができる。
【００４３】
ブレードは、第１の長手方向締結側３３及び第２の自由な機能的長手方向側３４に対して垂直な２つの短横側３６及び３７も有する。２つの各短横側３６及び３７の外縁部は、キャビティ１９に向けて配向された内面２３に接触する。
【００４４】
本発明の第１の実施形態（図４を参照）によれば、ドクターブレード３８は、印刷版３を被覆せずに遮蔽シリンダ４の回転後に回収されるインクを逃がす少なくとも１つの開口部３９を含む。開口部３９は、機能的長手方向側３４に向けて、かつ２つの横側３６及び３７のうちの第１の横側３６に向けて配置される。この例では、機能的長手方向側３４が上向きに配向された場合、第１の横側３６は左側である。第１の開口部３９は、機能的長手方向側３４及び第１の横側３６によって形成される隅部の領域の材料を直接除去した切り欠きであることが好ましい。
【００４５】
本発明の第２の態様（図５を参照）によれば、ドクターブレード４１は、第１の実施形態について上述したものと同様の少なくとも１つの第１の開口部３９と、少なくとも第２の開口部４２とを備えている。第１の開口部３９及び第２の開口部４２は、印刷版３を被覆せずに遮蔽シリンダ４の回転後に回収されるインクを逃がすことができる。第２の開口部４２は、機能的長手方向側３４に向けて、かつ２つの横側３６及び３７のうちの第２の横側３７に向けて配置される。第２の開口部４２は、第１の開口部３９に対して長手方向に対向する。この例では、機能的長手方向側３４が上向きに配向された場合、第２の横側３７は右側である。第２の開口部４２は、第１の開口部３９と同様に、機能的長手方向側３４及び第２の横側３７によって形成される隅部の領域の材料を直接除去した切り欠きであることが好ましい。
【００４６】
第１の開口部３９又は第２の開口部４２の切り欠きは、機能的長手方向側３４に平行な内横側４３を示す顕著な四角形の形で示される。この切断部（ｃｕｔ）は、内横側４３に垂直であって第１及び第２の横側３６及び３７に平行な横断面（ｔｒａｎｓｖｅｒｓａｌ  ｓｉｄｅ）４４も示す。
【００４７】
本発明の第３の態様（図６を参照）によれば、ドクターブレード４５は、少なくとも第１の開口部３９及び少なくとも第２の開口部４２を含む。第１の開口部３９及び第２の開口部４２は、印刷版３を被覆せずに遮蔽シリンダ４の回転後に回収されるインクを逃がすことができる。第１の開口部３９は、機能的長手方向側に向けて、かつ２つの横側３６及び３７のうちの第１の横側３６に向けて配置される。第２の開口部４２は、機能的長手方向側３４に向けて、かつ２つの横側３６及び３７のうちの第２の横側３７に向けて配置される。従って、第２の開口部４２は、第１の開口部３９に対して長手方向に対向する。
【００４８】
第１の開口部３９及び第２の開口部４２は、機能的長手方向側３４と、第１の横側３６及び第２の横側３７とによって形成される隅部の領域の材料を除去した切り欠きであることが好ましい。
【００４９】
第１の開口部３９及び第２の開口部４２の切り欠きは、例えば機能的長手方向側３４に対して４５°の傾斜面（ｓｌａｎｔｅｄ  ｓｉｄｅ）４６を示す顕著な三角形の切り欠きの形で示される。
【００５０】
第１の実施形態３８、第２の実施形態４１又は第３の実施形態４５のドクターブレードは、ドクターブレードチャンバ６の本体１２のキャビティ１９内のシールガスケット２８上に保持される（図３を参照）。ドクターブレード３８又は４１は、第１の開口部３９及び／又は第２の開口部４２の内横側４３が締結クランプ１４の内縁部と同じ高さになるようにオペレータによって配置される。また、ドクターブレード３８又は４１は、第１の開口部３９及び／又は第２の開口部４２の横断面４４がシールガスケット２８の外横側３０と同じ高さになるようにオペレータによって配置される。
【００５１】
第１の代替例（図７を参照）では、ドクターブレード４７のプリフォームが、オペレータが第２の実施形態（図５）によるドクターブレード４１を取得することを可能にする。ドクターブレード４７のプリフォームは、潜在的に２つの開口部３９及び４２を示す。２つの開口部３９及び４２は、内横側４３及び横断面４４を可視化するマーキング（図７の破線）によって具体化することができる。その後、オペレータは、切断工具、ハサミ、カッター又はその他の工具を使用して、四角形の切り欠き形状の開口部３９及び４２を切断しなければならない。２つの開口部３９及び４２は、内横側４３及び横断面４４を示す線を脆弱化するために、ドクターブレード４７のプリフォームの材料において予め切断しておくこともできる。その後、オペレータは、開口部３９及び４２を形成するために、事前の切り込みに従ってこれらの２つの隅部を切り抜かなければならない。
【００５２】
別の代替例では、オペレータが第１の態様（図４）による四角形の切り欠き形状の第１の開口部３９を有するドクターブレード３８を取得することを可能にするドクターブレードプリフォーム（図示せず）を形成することもできる。同様に、さらに別の代替例では、オペレータが本発明の第３の態様（図６）による三角形の切り欠き形状の２つの開口部３９及び４２を有するドクターブレード４５を取得することを可能にするドクターブレードプリフォーム（図示せず）を形成することもできる。
【００５３】
第２の代替例（図８を参照）では、ドクターブレード４８のプリフォームが、オペレータが第１の実施形態（図４）によるドクターブレード３８を取得することを可能にする。第３の代替例（図９を参照）では、ドクターブレード４９のプリフォームが、オペレータが第２の実施形態（図５）によるドクターブレード４１を取得することを可能にする。第４の代替例（図示せず）では、ドクターブレードプリフォームが、オペレータが第３の実施形態（図６）によるドクターブレード４５を取得することを可能にする。
【００５４】
第２、第３及び第４の代替例では、ドクターブレード４８及び４９のプリフォームが、２つの横側３６の一方に設けられた脆弱領域５０を含む。脆弱領域５０は、２つの横側のうちの第１の横側３６と長手方向締結側３３とによって形成される隅部５１の領域に配置される。
【００５５】
第２の代替例４８（図８）及び第３の代替例（図９）のドクターブレードプリフォームの脆弱領域５０は顕著な四角形である。ドクターブレードプリフォーム４８及び４９の脆弱領域５０は、ドクターブレード４８及び４９の、従ってそれぞれのドクターブレード３８及び４１の切り欠き３９の領域に位置する、内横側４３と、長手方向締結側３３と、横断面４４の延長部とによって区切られたストリップ５２を有利に延ばす。第４の代替例によるドクターブレードプリフォームの脆弱領域も顕著な四角形とすることができる。
【００５６】
第２の代替例、第３の代替例及び第４の代替例よるドクターブレードプリフォームの脆弱領域は、顕著な三角形とすることもできる。従って、第４の代替例の場合、ドクターブレードプリフォームの脆弱領域は、ドクターブレードプリフォームの、従ってドクターブレード４５の切り欠き３９の領域に位置する、傾斜面４６と長手方向締結側３３とによって制限されたストリップを延ばすことが好ましい。
【００５７】
オペレータは、使用可能な状態のドクターブレードチャンバ６を取得するために、例えば実施形態の第２の代替例（図８）によるドクターブレードプリフォーム４８をドクターブレードチャンバ６の本体１２上に配置することによって取り付ける。次に、オペレータは、ドクターブレード４８のプリフォームのブロッキングを開始するために、脆弱領域５０の反対側の端部に締結クランプ１４を配置し、２本又は３本などの少数の取り付けスタッド１６を配置してねじ留めする。次に、オペレータは、ペンチ５３を使用してドクターブレード４８のプリフォームを引っ張って（図１０の矢印Ｐ）引き伸ばし、残りの取り付けスタッド１６を配置してねじ留めする。その後、オペレータは、最終的に脆弱領域５０を切断して第１の実施形態（図４）によるドクターブレード３８を取得する。
【００５８】
オペレータは、使用可能な状態の空気圧式ドクターブレードチャンバを取得するために、ドクターブレードプリフォームをドクターブレードチャンバの本体上に配置することによって取り付ける。次に、オペレータは、ドクターブレードプリフォームをブロックするために、締結クランプを圧迫する空気入口を作動させる。その後、オペレータは、脆弱領域を切断してドクターブレードを取得する。
【００５９】
本発明は、上述の及び図示の実装に限定されるものではない。一連の請求項の範囲によって定められる枠組から逸脱することなく数多くの修正を行うことができる。
【図１】
2021531191.tif 000003
【図２】
2021531191.tif 000004
【図３】
2021531191.tif 000005
【図４】
2021531191.tif 000006
【図５】
2021531191.tif 000007
【図６】
2021531191.tif 000008
【図７】
2021531191.tif 000009
【図８】
2021531191.tif 000010
【図９】
2021531191.tif 000011
【図１０】
2021531191.tif 000012
【国際調査報告】
2021531191.tif 000013
2021531191.tif 000014